(57)【要約】      （修正有）【課題】注ぎ口の衛生面を向上させることができるボトルキャップを提供する。【解決手段】ボトルキャップＡは、ボトル１０の開口部１０ａに、凹部１ａを螺入又は嵌入して、ボトル１０の開口部１０ａに取り付けられるボトルキャップ本体１と、このボトルキャップ本体１の天井面に設けられると共に、ボトル１０内の液体をボトル１０の外へ流出させる注ぎ口と、ボトルキャップ本体１に取り付けられると共に、ボトルキャップ本体１の天井面の注ぎ口を覆う開閉自在な開閉蓋２とを備え、前記液体は、食することができるもの。【選択図】図１
0003129454.tif 000002
【実用新案登録請求の範囲】
【請求項１】
ボトルの開口部に、凹部を螺入又は嵌入して、前記ボトルの開口部に取り付けられるボトルキャップ本体と、
このボトルキャップ本体の天井面に設けられると共に、前記ボトル内の液体を前記ボトルの外へ流出させる注ぎ口と、
前記ボトルキャップ本体に取り付けられると共に、前記ボトルキャップ本体の天井面の前記注ぎ口を覆う開閉自在な開閉蓋とを備え、
前記液体は、食することができるものである
ことを特徴とするボトルキャップ。
【請求項２】
開閉蓋の天井面に、ボトルの内容物を表示する内容物表示部を備えていることを特徴とする請求項１記載のボトルキャップ。
【請求項３】
開閉蓋の天井面に設けられると共に、ボトルの内容物を複数表示する内容物表示部と、
前記開閉蓋に回動自在に支持された回動部材と、
前記内容物表示部を外部から確認できるように、前記回動部材に設けられると共に、前記内容物表示部に臨むように形成された窓部と、
を備えていることを特徴とする請求項１記載のボトルキャップ。
【請求項４】
ボトルの内容物は、醤油であり、
開閉蓋の天井面に設けられると共に、少なくとも、薄口、濃口を表示する内容物表示部と、
前記開閉蓋に回動自在に支持された回動部材と、
この回動部材に設けられると共に、前記内容物表示部に臨むように形成された前記内容物表示部を外部から確認できる窓部と、
を備えていることを特徴とする請求項１記載のボトルキャップ。
【考案の詳細な説明】
【技術分野】
【０００１】
本考案は、ボトルキャップに係り、特に、注ぎ口の衛生面を向上させることができるボトルキャップに関する。
【背景技術】
【０００２】
従来、包装容器のキャップの上部に、料理用と食卓用の大、小、二つの注ぎ口を設け、使用勝手を向上させている「しょう油指し機能をもった包装用容器」がある（例えば、特許文献１参照）。  
しかしながら、上記の「しょう油指し機能をもった包装用容器」にあっては、注ぎ口を塞ぐ部材がないため、不使用時、注ぎ口は露出したままで、衛生面の点で改善の余地があった。
【特許文献１】実用新案登録第３０６６２６４号公報（図３）
【考案の開示】
【考案が解決しようとする課題】
【０００３】
本考案は、注ぎ口の衛生面を向上させることができるボトルキャップを提供することを目的としている。
【課題を解決するための手段】
【０００４】
前記した目的を達成するための請求項１記載のボトルキャップは、ボトルの開口部に、凹部を螺入又は嵌入して、前記ボトルの開口部に取り付けられるボトルキャップ本体と、このボトルキャップ本体の天井面に設けられると共に、前記ボトル内の液体を前記ボトルの外へ流出させる注ぎ口と、前記ボトルキャップ本体に取り付けられると共に、前記ボトルキャップ本体の天井面の前記注ぎ口を覆う開閉自在な開閉蓋とを備え、前記液体は、食することができるものである。
【０００５】
また、請求項２記載のボトルキャップは、請求項１記載のボトルキャップにおいて、開閉蓋の天井面に、ボトルの内容物を表示する内容物表示部を備えているものである。
【０００６】
また、請求項３記載のボトルキャップは、請求項１記載のボトルキャップにおいて、開閉蓋の天井面に設けられると共に、ボトルの内容物を複数表示する内容物表示部と、前記開閉蓋に回動自在に支持された回動部材と、前記内容物表示部を外部から確認できるように、前記回動部材に設けられると共に、前記内容物表示部に臨むように形成された窓部とを備えているものである。
【０００７】
また、請求項４記載のボトルキャップは、請求項１記載のボトルキャップにおいて、ボトルの内容物は、醤油であり、開閉蓋の天井面に設けられると共に、少なくとも、薄口、濃口を表示する内容物表示部と、前記開閉蓋に回動自在に支持された回動部材と、この回動部材に設けられると共に、前記内容物表示部に臨むように形成された前記内容物表示部を外部から確認できる窓部とを備えているものである。
【考案の効果】
【０００８】
請求項１記載のボトルキャップによれば、使用時、開閉蓋を開いて注ぎ口からボトル内の液体をボトルの外へ流出させることができ、また、不使用時、開閉蓋を閉じて注ぎ口を覆い、注ぎ口が露出することを防いで注ぎ口の衛生面を向上させることができる。
【０００９】
また、請求項２記載のボトルキャップによれば、前述した請求項１記載の考案の効果に加え、開閉蓋の天井面に、ボトルの内容物を表示する内容物表示部を設けたため、ボトルの内容物を迅速に確認することができる。
【００１０】
また、請求項３記載のボトルキャップによれば、前述した請求項１記載の考案の効果に加え、開閉蓋の天井面に設けられると共に、ボトルの内容物を複数表示する内容物表示部と、前記開閉蓋に回動自在に支持された回動部材と、前記内容物表示部を外部から確認できるように、前記回動部材に設けられると共に、前記内容物表示部に臨むように形成された窓部と開閉蓋の天井面に、ボトルの内容物を表示する表示部を設けたため、窓部を介してボトルの内容物を迅速に確認することができる。
【００１１】
また、請求項４記載のボトルキャップによれば、前述した請求項１記載の考案の効果に加え、ボトルの内容物は、醤油であり、開閉蓋の天井面に設けられると共に、少なくとも、薄口、濃口を表示する内容物表示部と、前記開閉蓋に回動自在に支持された回動部材と、この回動部材に設けられると共に、前記内容物表示部に臨むように形成された前記内容物表示部を外部から確認できる窓部とを備えているため、窓部を介して醤油が薄口か濃口かの確認を迅速に行うことができる。
【考案を実施するための最良の形態】
【００１２】
本考案の一実施例のボトルキャップを図面を参照して説明する。
図１乃至図７において、Ａはボトルキャップで、ボトルキャップＡは、食することができる液体を収納したボトル１０の開口部１０ａに、取り付けられるものである。
なお、上記液体は、例えば、醤油で、取り付けは、ボトル１０の開口部１０ａに、ボトルキャップ本体１の凹部１ａを螺入（ねじ込んで取り付けること）又は嵌入（嵌め入れること）して行われる。
また、ボトル１０の開口部１０ａに、ボトルキャップＡの凹部１ａのネジ部にボトル１０が螺合しない場合、図６及び図７に示すように、付属のキャップＣを使用することができるようになっている。
【００１３】
ボトルキャップ本体１の天井面１ｂには、図５（ａ）、（ｂ）、（ｃ）に示すように、ボトル１０内の液体をボトル１０の外へ抽出す注ぎ口１ｃ、１ｄが設けられている。
この注ぎ口１ｃと注ぎ口１ｄは、平面視、直線状に設けられ[図５（ａ）参照]、注ぎ口１ｃ、１ｄの開口端部がそれぞれ開口し、該開口部の大きさは、注ぎ口１ｃより注ぎ口１ｄの方が大となっており、流出量を適宜調整できるようになっている。
【００１４】
また、図５（ａ）、（ｂ）、（ｃ）に示す２は、ボトルキャップ本体１の天井面１ｂの注ぎ口１ｃ、１ｄを開閉自在に覆う開閉蓋で、開閉蓋２は、ボトルキャップ本体１に取り付けられている。開閉蓋２の下端には、指がかかりやすいように、開閉蓋２の下端縁部より突出する突起２ａが設けられている。
従って、開閉蓋２を開いて注ぎ口１ｃ、１ｄからボトル１０内の液体をボトル１０の外へ流出させて使用し[図３の二点差線の開閉蓋２参照]、不使用時には、開閉蓋２を閉じて注ぎ口１ｃ、１ｄを覆い[図３の実線の開閉蓋２参照]、注ぎ口１ｃ、１ｄが露出することを防いで、注ぎ口１ｃ、１ｄの衛生面を向上させることができる。
【００１５】
なお、開閉蓋２の天井面に、ボトル１０の内容物を表示する内容物表示部２１を備えている[図４（ａ）、（ｂ）、（ｃ）参照]。
この内容物表示部２１は、ボトル１０の内容物を複数表示するようになっており、該複数表示は、例えば、ボトル１０の内容物が醤油の場合、薄口、濃口、減塩の文字表示であり、この文字に加えて、薄口の文字表示から１８０°の位置に醤油の文字が、濃口の文字表示から１８０°の位置に醤油の文字が、減塩の文字表示から１８０°の位置に醤油の文字が、それぞれ表示されている。
【００１６】
また、図１乃至図７に示す３は、開閉蓋２に回動自在に支持された回動部材で、この回動部材３には、内容物表示部２１に臨むように窓部３１が形成され、内容物表示部２１を外部から確認できるようになっている。この窓部３１は、例えば、開口部となっている。
この内容物表示部２１を窓部３１を介して、ボトル１０の内容物を、例えば、窓部３１を回動して移動させることにより醤油が、「薄口」「濃口」「減塩」の何れかであることの確認を迅速に行うことができるようになっている。
【図面の簡単な説明】
【００１７】
【図１】図１は、本考案の一実施例のボトルキャップをボトルに装着する前の状態の概略的斜視図である。
【図２】図２は、図１のボトルキャップをボトルに装着した状態の概略的正面図である。
【図３】図３は、図２の一部の概略的一部拡大断面図である。
【図４】図４（ａ）は、図１のボトルキャップの概略的平面図であり、図４（ｂ）は、図４（ａ）の回動部材を反時計回りに回動した状態のボトルキャップの概略的平面図であり、図４（ｃ）は、図４（ｂ）の回動部材を反時計回りに回動した状態のボトルキャップの概略的平面図である。
【図５】図５（ａ）は、図４（ａ）のボトルキャップの開閉蓋を開いた状態の概略的平面図であり、図５（ｂ）は、図５（ａ）のボトルキャップを小さい方の注ぎ口の側から見た概略的側面図であり、図５（ｃ）は、図５（ａ）のボトルキャップを大きい方の注ぎ口の側から見た概略的側面図である。
【図６】図６は、ボトルキャップを付属のキャップを介してボトルに装着する前の状態の概略的斜視図である。
【図７】図７は、図６のボトルキャップを付属のキャップを介してボトルに装着した状態の概略的断面図である。
【符号の説明】
【００１８】
Ａ    …………ボトルキャップ
１    …………ボトルキャップ本体
１ａ  …………凹部
１ｃ  …………注ぎ口
１ｄ  …………注ぎ口
２    …………開閉蓋
１０  …………ボトル
１０ａ…………開口部
【図１】
0003129454.tif 000003
【図２】
0003129454.tif 000004
【図３】
0003129454.tif 000005
【図４】
0003129454.tif 000006
【図５】
0003129454.tif 000007
【図６】
0003129454.tif 000008
【図７】
0003129454.tif 000009